(57)【特許請求の範囲】
【請求項１】
治療用超音波を治療対象に照射するためのアプリケータと、
治療用超音波の照射強度の範囲を、治療対象ごとに記憶する第１の記憶手段と、
治療対象を指定する指定手段と、
前記アプリケータが前記指定手段によって指定された治療対象に使用可能か否かを前記照射強度の範囲に基づいて判別する判別手段と、
前記判別手段が使用可能と判別した場合には、前記指定手段によって指定された治療対象に前記第１の記憶手段上で対応する前記照射強度の範囲内で治療用超音波を照射し、前記判別手段が使用不可能と判別した場合には、治療用超音波を照射しない制御手段と、を具備すること、を特徴とする超音波治療装置。
【請求項２】
前記超音波治療装置において、
前記第１の記憶手段は、さらにアプリケータの種類ごとのアプリケータの周波数、インピーダンス、最大出力強度、焦点深さ、拡大音場対応、照射パラメータのうちの少なくとも１つの情報を記憶し、
前記判別手段は、前記アプリケータが前記指定手段によって指定された治療対象に使用可能か否かを前記照射強度の範囲と前記情報とに基づいて判別する、ことを特徴する請求項１記載の超音波治療装置。
【請求項３】
前記超音波治療装置において、前記指定手段は、文字、記号、図のうちの少なくともいずれか一つによって治療対象を示したボタンであること、を特徴とする請求項１記載の超音波治療装置。
【請求項４】
前記超音波治療装置は、前記判別手段が使用不可と判別した場合、使用不可である旨を警告する警告手段をさらに具備すること、を特徴とする請求項１記載の超音波治療装置。
【請求項５】
前記超音波治療装置は、照射強度の範囲をマニュアル設定する設定手段をさらに具備し、
前記制御手段は、前記設定手段によって新たに照射強度の範囲がマニュアル設定された場合には、前記判別手段の判別結果に関わらず当該新たな照射強度の範囲内において治療用超音波を照射すること、を特徴とする請求項１記載の超音波治療装置。
【発明の詳細な説明】
【０００１】
【発明の属する技術分野】
本発明は、例えば超音波加温装置、超音波焼灼装置、超音波結石破砕装置、放射線治療装置等の超音波治療装置に関する。
【０００２】
【従来の技術】
近年、医療の分野では、患者の術後生活の質（Ｑｕａｌｉｔｙ  ｏｆ  Ｌｉｆｅ：以下、ＱＯＬ）の向上が重要視され、最小侵襲治療（Ｍｉｎｉｍａｌｌｙ  Ｉｎｖａｓｉｖｅ  Ｔｒｅａｔｍｅｎｔ：以下、ＭＩＴ）と呼ばれる治療法が注目を集めている。これらの治療法は、外科的な手術と比較して患者への侵襲度が少ない手法として期待されている。
【０００３】
例えば、泌尿器科領域においては、強力超音波パルスを集束させて結石に照射し、粉砕治療を行う体外衝撃波結石粉砕術が開発されており、結石治療の第一選択となっている。また、超音波を腫瘍細胞に照射して治療するハイパーサーミア技術や、強力超音波を腫瘍細胞に集束して高温に加熱し熱変性壊死させる高温加熱治療技術も開発され、脚光を浴びている。
【０００４】
上述した高温加熱治療には、強力超音波を発生させる超音波振動子を内蔵するアプリケータが必要である。一般に、このアプリケータには、サイズが比較的小さい浅部用とサイズが比較的大きい深部用とがあり、その治療対象によって使用が区別される。アプリケータが浅部用である場合は、術者が手に持って任意の位置に設置し強力超音波を照射する。また、アプリケータが大きく深部用であり、深部まで焼灼出来るような場合は、機械的な制御アームに連結され、所定の位置・方向から強力超音波を照射するように制御され、オペレータがパネル操作や外部入力操作によって、所望の位置・方向へ発生源を動かす等して使用される。
【０００５】
一方、アプリケータによっては、ある程度複数の治療対象に対応できるものもあり、一のアプリケータによって種々の対象に治療を行なう場合もある。この様な一のアプリケータによる超音波照射においては、照射パラメータを治療対象ごとに適切な範囲で設定しなければならない。照射パラメータとは、超音波照射強度と超音波照射時間である。これらは臓器やターゲットの種類、深さ、状態等によって決まる。オペレータは、治療毎に照射パラメータを治療対象に適した値にマニュアル設定している。
【０００６】
また、アプリケータが内蔵する超音波振動子は、強力超音波を発生させる特性上、照射回数によって故障が起こるかどうかが確率的に決まっている。従って、適切な治療を可能とするため、装置（特にアプリケータ）のステイタス情報を常に把握する必要がある。従来では、サービスマンが現地でエラー情報を取得する、或いはオペレータがエラー情報をサービスマンに知らせる等して、修理の方針や交換部品手配をすることで、アプリケータ等の適切な状態を維持している。
【０００７】
【発明が解決しようとする課題】
しかしながら、同一のアプリケータによって異なる複数の対象を治療する場合、照射に関するパラメータの許容範囲が治療対象ごとに異なるため、その都度調べる等してパラメータのマニュアル設定を行わなければならず、オペレータには多大な負担かけていた。また、同一のアプリケータで治療可能にも関らず、他のアプリケータに変更することも、オペレータにとっては作業的負担となる。
【０００８】
また、常に適切な治療を可能とするために、適切な時期に部品交換等のメンテナンスが必要である。そのため、オペレータやサービスマンは、頻繁に装置のステイタス情報を収集しなければならない。この場合においても、オペレータやサービスマンに多大な負担をかけることになる。
【０００９】
【課題を解決するための手段】
本発明は、上記事情に鑑みてなされたもので、オペレータやサービスマンに係る負担をできる限り軽減することで作業性を向上させ、適切な超音波治療を可能とする超音波治療装置を提供することを目的とし、以下の特徴を具備するものである。
【００１０】
請求項１記載の発明は、治療用超音波を治療対象に照射するためのアプリケータと、治療用超音波の照射強度の範囲を、治療対象ごとに記憶する第１の記憶手段と、治療対象を指定する指定手段と、前記アプリケータが前記指定手段によって指定された治療対象に使用可能か否かを前記照射強度の範囲に基づいて判別する判別手段と、前記判別手段が使用可能と判別した場合には、前記指定手段によって指定された治療対象に前記第１の記憶手段上で対応する前記照射強度の範囲内で治療用超音波を照射し、前記判別手段が使用不可能と判別した場合には、治療用超音波を照射しない制御手段と、を具備することを特徴とする。
【００３６】
【発明の実施の形態】
以下、本発明の第１実施形態及び第２実施形態を図面に従って説明する。
【００３７】
図１は、第１実施形態に係る超音波治療装置の概略構成を示している。
【００３８】
図１において、超音波治療装置１０は、アプリケータ１４、水回路１６、ドライバ増幅部１８、コントロール部２０、操作パネル２２、表示パネル２４を具備している。なお、ドライバ増幅部１８、コントロール部２０は、超音波治療装置本体１２中に格納されている。
【００３９】
同図において、治療用超音波アプリケータ１４は、発生超音波の波面が進行方向に対して凹面をなすように球面上に配置された複数の圧電素子群と、この圧電素子群の中心に挿入配置されたイメージング用超音波プローブとを具備している。アプリケータ１４中の圧電素子群は、それぞれインピーダンス整合を行うための図示していない整合部を介してドライバ増幅部１８に接続されている。ドライバ増幅部１８は発振器を有しており、当該発振器から所定の周波数の発振信号を増幅し、駆動信号を発生する。この駆動信号は、図示していないインピーダンス整合部を介して、アプリケータ１４中の圧電素子群に対して超音波発生に必要な電力をとして供給される。イメージング用超音波プローブからは、監視用超音波が所望する治療対象を含む生体内領域に照射される。
【００４０】
水回路１６は、アプリケータ１４で発生された治療用超音波を少ない減衰で、患者の体表面まで導くために、可撓性の水袋に封入された超音波の伝播媒質、例えばよく脱気された水が封入された回路である。水回路１６内の温度は、後述するコントロール部２０によって管理されている。
【００４１】
コントロール部２０は、後述するようなアプリケータの種類と治療対象とに応じた照射パラメータ範囲等の制御や、オペレータの操作パネル２２からの入力指示に基き、アプリケータ１４から照射する超音波の照射強度、照射時間等を制御する制御部である。また、コントロール部２０は、表示パネル２４及び操作パネル２２の表示制御や、アプリケータ１４のＩＤ情報、内部温度情報等の収集に関する制御を行う。また、コントロール部２０は、第２の実施形態で述べるように、通信ＬＡＮを通じた修理に関する情報通信に関する制御を行う。
【００４２】
さらに、コントロール部２０は、判別部２０１とアプリケータ情報記憶部２０３とを有している。
【００４３】
判別部２０１は、後述する照射強度範囲設定処理等において、指定された治療対象に対して接続されているアプリケータ１４が使用可能か否か（適切か否か）を判別する。
【００４４】
アプリケータ情報記憶部２０３には、後述するアプリケータ１４の種類ごとのアプリケータ情報（周波数、インピーダンス、最大出力強度、焦点深さ、拡大音揚対応、照射パラメータ等）を格納している（図４参照）。上記判別部２０１が行なう判断処理は、アプリケータ情報記憶部２０３に格納されているアプリケータ情報に基いて実行される。
【００４５】
操作パネル２２は、超音波治療装置に関する操作を行うためのインターフェースである。操作パネル２２は、後述するように超音波の照射強度、照射時間を設定する設定ボタンを有している。当該ボタンからの入力指示により、コントロール部２０は、入力指示に応じた照射強度範囲や照射時間範囲の設定を行う。
【００４６】
図２は、操作パネル２２の一例を示している。
【００４７】
同図において、照射強度ボタン２２０、照射時間ボタン２２１は、それぞれ照射強度と照射時間の設定を行うための設定ボタンである。治療対象選択ボタン２２３は、治療する対象ごとに設けられたボタンであり、各ボタンには肝臓、乳房等治療する臓器や対象領域の名称が書かれている。後述するように、治療前の治療パラメータ設定時において当該ボタンを押すことで、各治療対象ごとに設定された適切な照射強度範囲と照射時間に自動的に設定される。なお、治療対象選択ボタン２２３は、図３に示すように各治療対象を図等により模式的に示したものであってもよい。
【００４８】
超音波の照射開始、照射終了は、それぞれ照射ボタン２２５と停止ボタン２２６とによって制御される。２２８は運転状態を示すパイロットボタン、２２９はパワーボタンである。
【００４９】
表示パネル２４は、超音波治療のためにモニタリングされる超音波画像等を表示する表示画面である。また、表示パネル２４には、第２の実施形態で述べるサービスコール機能を実行する場合に、サービスコール画面が表示される。
【００５０】
次に、図４、図５、図６を参照しながら、本発明に係る超音波治療装置１０によって、治療対象領域や治療対象の深さに応じて照射パラメータを設定し、治療する場合の動作説明を行う。以下、術中肝臓を治療対象とした例を説明する。
【００５１】
図４は、アプリケータ１４の種類ごと（同図ではアプリケータを４種類とし、アプリケータ番号をＡＰ１〜ＡＰ４として区別している。）のアプリケータ情報（周波数、インピーダンス、最大出力強度、焦点深さ、拡大音揚対応、照射パラメータ等）を模式的に示した図である。同図に示した各アプリケータ情報は、コントロール部２０が有するアプリケータ情報記憶部２０３に記憶されており、コントロール部２０が連結したアプリケータＩＤ情報を読み込むことによって当該コントロール部２０中のワーキング記憶領域に設定される。
【００５２】
図５は、コントロール部２０が行なう照射強度範囲設定処理を説明するための図であり、ＡＰ１〜ＡＰ４の各アプリケータごとに、各治療対象に対して最大照射強度設定値、最大照射時間設定値、各臓器に使用可能か否か、を表している。なお、同図では、使用可能な場合を○、使用不可能な場合を×で示している。また、各アプリケータが各治療対象について使用可能であるか否かは、アプリケータ情報と図６に示す治療適用範囲テーブルに基いて決定される。
【００５３】
図６は、照射強度適用範囲を治療対象ごとに示した治療適用範囲テーブルを示している。この治療適用範囲テーブルは、コントロール部２０が有するアプリケータ情報記憶部２０３に記憶されている。
【００５４】
まず、オペレータは、接続されたアプリケータ１４内に設置してある、超音波を照射するための音源（圧電素子）とイメージングするためのプローブによって治療対象領域を探索し、治療可能な位置にアプリケータ１４の位置決めを行う。
【００５５】
次に、オペレータは、所望する治療対象選択ボタン２２３を選択する。今の場合、体外肝臓が治療対象であるから、操作パネル２２の「肝臓」のボタンが押されることになる。コントロール部２０は、この治療対象選択ボタン２２３からの入力指示に基づき、以下に述べる照射強度範囲設定処理を行う。
【００５６】
仮に、アプリケータ１４にＡＰ１が装着されているとする。この場合、判別部２０１は、「肝臓」の治療対象選択ボタン２２３が押されたこと、図４に示すのアプリケータ情報３０からＡＰ１の「術中肝臓」の最大照射強度が５００Ｗであること（図５参照）、さらに図６に示すように術中肝臓の治療適用範囲が５０Ｗ〜５００Ｗであることから、図５に示すようにＡＰ１が肝臓治療に使用可能であると判別する。そして、コントロール部１０は、照射強度設定範囲を５０Ｗ〜５００Ｗに設定する。また、仮に、ＡＰ２を用いて術中肝臓にて起用する場合であれば、図４に示すようにアプリケータの最大照射強度が３００Ｗであること、また、術中肝臓への治療適用範囲が５０Ｗ〜５００Ｗであることから、照射強度設定範囲は５０Ｗ〜３００Ｗで規定される。
【００５７】
なお、例えば、接続されたアプリケータ１４がＡＰ４である場合には、コントロール部２０は、図５に示すように当該術中肝臓の治療については使用できないことを判別し、表示パネル２４へのメッセージ表示、操作パネル２２の点滅表示、音声による警告等、オペレータに使用不可能であることを知らせる構成となっている。
【００５８】
次に、照射時間範囲設定処理を行う。当該処理は、上述した照射強度範囲設定処理と同様の構成により実現できるので説明は省略する。
【００５９】
そして、オペレータは、上述した照射強度範囲内、照射時間範囲内で、照射強度や照射時間を操作パネル２２上にある上下ボタンで任意の値に設定することができる。なお、実際に使用する焦点深さに応じても、照射強度設定範囲や照射時間設定範囲が変化可能であることが好ましい。これは、アプリケータ情報３０を追加することで、各焦点深さに応じた照射強度設定範囲や照射時間設定範囲の設定を実現できる。
【００６０】
オペレータによって設定された照射設定値は、コントロール部２０へ伝送される。コントロール部２０は、設定された照射パラメータに応じてドライバ増幅部１８へコントロール信号を伝送する。伝送されたコントロール信号に基づいて、ドライバ増幅部１８は所望の電圧を出力し、アプリケータ１４内に設置されている音源（圧電素子）にその電圧を印加させることで、所望の超音波を出力する。
【００６１】
そして、実際の照射中の照射強度や照射時間などの治療状況や治療中の画像診断像が、表示パネル部２４に表示される。従って、オペレータは、適切な照射条件で所定の治療を施すことができる。
【００６２】
以上述べた構成によれば、以下の効果を得ることができる。
【００６３】
治療対象選択ボタン２２３によって指定された治療対象と、接続されたアプリケータの特性等とに応じて当該アプリケータが使用可能か否かを判別するので、使用するアプリケータの過誤を無くすことができる。
【００６４】
接続されたアプリケータが使用可能である場合、治療対象選択ボタン２２３によって指定された治療対象に応じた適切な照射強度範囲、照射時間範囲が自動的に設定されるので、適切な治療を実行することができる。また、治療深さを変更した場合であっても、当該治療対象について適切な照射強度範囲、照射時間範囲が自動的に設定されるので、適切な治療を実行することができる。さらに、適切な照射強度範囲、照射時間範囲内でマニュアル設定可能であるから、アプリケータ、治療対象、治療深さ等が変更された場合であっても、適切な設定値範囲等からはみ出すことなく適切な治療を実行することができる。
【００６５】
また、アプリケータ１４と治療対象との組み合わせが不適切な場合には、警告等を行う構成であるから、オペレータは容易にアプリケータ１４の選択過誤に気付くことができる。
【００６６】
以上、本発明を第１実施形態に基いて説明したが、上記実施形態に限定されるものではなく、例えば以下に示すように、その要旨を変更しない範囲で種々変形可能である。
【００６７】
上記説明において、図５に示した治療適用範囲テーブルに基いて照射パラメータを設定する例を説明した。これに加えて、治療適用範囲テーブルに関係なく、オペレータのマニュアル操作により照射パラメータを設定可能であってもよい。
【００６８】
この様な構成によれば、臨時で照射強度等を変更したい場合等においても、対処することが可能である。
【００６９】
（第２の実施形態）
第２の実施形態では、超音波治療システムについて説明する。この超音波治療システムは、通信ネットワークを利用して他の画像診断装置等から治療に必要な画像データを受信したり、メンテナンスに必要なアプリケータ１４のステイタス情報をサービスマンに必要な時に提供することができ、常に適切な治療を可能とするものである。
【００７０】
図７は、第２実施形態に係る超音波治療システム７０の概略構成である。図１と同一の構成要素には、同符号を付してその説明は省略する。
【００７１】
図７において、超音波治療システム７０は、超音波治療システム７０のステイタス情報データファイル（図１０参照）が記憶されている通信用データ記憶部２０５と、通信インタフェース３２を具備する構成となっており、通信ＬＡＮ３４に接続されている。
【００７２】
次に、上記構成の超音波治療システム７０を病院内の通信ＬＡＮに接続して、他の画像診断装置とを組み合わせて治療を行う場合について説明する。
【００７３】
図８は、超音波治療システム７０が接続された病院内ネットワークを模式的に示した図である。
【００７４】
病院内ＬＡＮには、治療システム７０、Ｘ線ＣＴスキャン装置７２（以下ＣＴ７２）、磁気共鳴イメージング装置７４（ＭＲＩ７４）、超音波画像診断装置７６、サービス用サーバ７８が接続されている。サービス用サーバ７８は、後述する遠隔操作によるメンテナンスサービスのため外部と通信するための専用サーバである。
【００７５】
例えば、超音波画像診断装置７６から画像情報を得て、超音波治療装置１０により治療を行う場合には、ネットワークを介して選られた超音波画像情報の上に、治療のためのマーカや治療状況などの情報を重畳表示させる必要がある。図８に示す様に病院内の通信ネットワークに治療システム７０を連結すれば、当該ネットワークを介して画像情報をリアルタイムで収集(すなわち、治療と同時進行で超音波画像診断装置７６によるモニタリングを行い、超音波画像情報を収集)できるので、治療ガイドなどの重畳情報を簡便に診断画像上に張り合わせることができる。また、ＭＲＩから画像情報を得る場合でも、ＭＲＩ画像収集位置の情報と超音波治療装置１０の治療用アプリケータ１４の焦点位置情報とが分かった上で、寝台などの位置移動情報などをネットワークから収集できる。従ってオペレータは、アプリケータ１４の適切な治療位置への位置合わせを簡単に実行することができる。
【００７６】
また、図９に図７で示した超音波治療システム７０の変形例を示す。図９は通信端末を無線端末３４にしており、病院内ＬＡＮがない場所に持っていても、無線を介してネットワークに連結可能な構成となっている。
【００７７】
従って、この様な構成によれば、他の画像診断装置と超音波治療システム７０とを容易に組み合わせて使用することが可能である。その結果、さらに適切な超音波治療を施すことができる。
【００７８】
次に、図８に示したサービス用サーバ７８を介してメンテナンスサービス拠点に接続し、超音波治療システム７０に関するサービスを受ける場合について説明する。
【００７９】
図１０は、コントロール部２０の通信用データ記憶部２０５に記憶される、超音波治療システム７０のステイタス情報データファイルの一例を示している。
【００８０】
例えば、あるアプリケータ１４を用いた超音波治療において、超音波照射ができない等の不具合がある場合を考える。この場合オペレータは、サービス用サーバ７８を介して、ステイタス情報データファイルをサービスマンに転送することができる。また、サービスマン自身が、遠隔操作により、サービス用サーバ７８を介して、通信用データ記憶部１２５に記憶されているステイタス情報データファイルを取得することができる構成であってもよい。
【００８１】
図１０に示すように、ステイタス情報データファイルには、現在使用しているアプリケータが使用不可能となった原因を示すエラー情報、当該アプリケータの延べ照射回数照射カウント数情報、どの治療対象選択ボタン２２３か押されたかを示す治療対象情報、水回路１６の温度情報等が含まれている。なお、これらの各情報は適宜更新されており、また、ネットワークを介さず超音波治療システム７０のから直接得ることもできる。
【００８２】
この様な構成によれば、サービスマンは、超音波治療装置本体１２に接続されているアプリケータ１４について、現在までの照射回数、メンテナンスが必要な照射回数までの残り照射回数等の情報をネットワーク経由で得ることができる。また、アプリケータ１４に限らず、システム７０自身が突然のエラーで復帰不能になった場合、このエラーの要因を解析するためのエラー情報を得ることができる。特に、図１０に示したように、アプリケータ冷却に必要な水回路水温やアプリケータ内部温度を得ることで、システムの状態を知ることが出来る。
【００８３】
さらに、このようなエラーが発生した場合、冷却が必要であれば、外部からコントロールして、水の冷却温度下げるように遠隔操作したり、アプリケータ内部温度を下げるような何らかの対処をオペレータに教授できる構成であることが好ましい。この様な構成によれば、サービスマンは、設定された照射強度や照射時間などの設定値が妥当であるか、使用方法が間違っているのか、装置が故障しているのか等総合的な観点から的確なアドバイスをオペレータに対してリアルタイムで行うことができる。
【００８４】
次に、超音波治療システム７０が有するサービスコール機能について説明する。
【００８５】
オペレータが行う超音波治療に関する操作は、一般に複雑なものである。従って、当該通信に関する操作は迅速かつ容易に行えることが好ましい。かかる観点から、超音波治療システム７０は、ネットワークによるサービスマンとの通信を迅速かつ容易に行うことができるサービスコール機能を有している。
【００８６】
図１１は、サービスコール機能を立ち上げた時において、表示パネル２４に表示されるサービスコール画面４０を示す。
【００８７】
本システムでは、実際にサービスコールする際には、図１１に示したサービスコール画面４０内のｃａｌｌボタン４０１を押すことで、モニター内にサービスマンの顔が現れるウィンドウ４０３が表示される。オペレータは、ウィンドウ４０３中のサービスマンが行うアドバイス、装置への対処方法、メンテナンス訪問の日時等の情報を、モニター内のサービスマンからリアルタイムで得ることができる。
【００８８】
なお、第２の実施形態で述べた超音波治療システム７０は、第１の実施形態で説明した超音波治療装置１０に限らず、全ての超音波治療装置に対して適用可能である。
【００８９】
このような構成によれば、電話でのサービス情報伝達やサービスマンの訪問によるサービスが主であった従来に比して、通信ネットワークを介して迅速かつ容易に治療に必要な情報を適切に得ることができる。
【００９０】
【発明の効果】
以上本発明によれば、所定の治療対象に適合しないなアプリケータの使用を防止することができる。その結果、診断作業における過誤を防止することが可能である。また、オペレータやサービスマンに係る負担をできる限り軽減することで作業性を向上させることができる。その結果、適切な超音波治療を可能とする超音波治療装置を実現できる。
【図面の簡単な説明】
【図１】  図１は、第１の実施形態で示した超音波治療装置１０の概略構成図。
【図２】  図２は、第１の実施形態で示した超音波治療装置１０が有する操作パネル２２の一例を示す図。
【図３】  図３は、第１の実施形態で示した超音波治療装置１０が有する操作パネル２２の他の例を示す図。
【図４】  図４は、アプリケータ１４の種類ごとのアプリケータ情報を模式的に示した図。
【図５】  図５は、コントローブ部２０が行なう照射強度範囲設定処理を説明するための図。
【図６】  図６は、照射強度適用範囲を治療対象ごとに示した治療適用範囲テーブルを示す図。
【図７】  図７は、第２実施形態に係る超音波治療システム７０の概略構成を示す図。
【図８】  図８は、超音波治療システム７０が接続された病院内ネットワークを模式的に示した図。
【図９】  図９は、第２実施形態に係る超音波治療システム７０の概略構成の他の例を示す図。
【図１０】  図１０は、超音波治療システム７０のステイタス情報データファイルの一例を示した図。
【図１１】  図１１は、表示パネル２４に表示されるサービスコール画面４０を示す図。
【符号の説明】
１０…超音波治療装置
１２…超音波治療装置本体
１４…アプリケータ
１６…水回路
１８…ドライバ増幅部
２０…コントロール部
２２…操作パネル
２４…表示パネル
３０…アプリケータ情報
３２…通信インタフェース
４０…サービスコール画面
７０…超音波治療システム
７２…スキャン装置
７４…磁気共鳴イメージング装置
７６…超音波画像診断装置
７８…サービス用サーバ
２２０…照射強度ボタン
２２１…照射時間ボタン
２２３…治療対象選択ボタン
２２５…照射ボタン
２２６…停止ボタン
４０１…ボタン
４０３…ウィンドウ
【図１】
0004744666.tif 000002
【図２】
0004744666.tif 000003
【図３】
0004744666.tif 000004
【図４】
0004744666.tif 000005
【図５】
0004744666.tif 000006
【図６】
0004744666.tif 000007
【図７】
0004744666.tif 000008
【図８】
0004744666.tif 000009
【図９】
0004744666.tif 000010
【図１０】
0004744666.tif 000011
【図１１】
0004744666.tif 000012